(57)【要約】【課題】躯体の大きな変動にも柔軟に追従し、躯体の変動を確実に吸収する。【解決手段】このカバー１は、伸縮機構１１が、間隙９の両側で各躯体７１、８１に設置されるガイドレール２、２と、間隙９に長手方向に向けて配置されるカバー支持杆３の下部でＸ形に交差して軸支されるとともに各端部がガイドローラ４０、４０を介して各ガイドレール３、３に係合される一対の動作杆４、４と、一方のガイドレール２上でＶ形に交差して軸支されるとともに各端部が各動作杆４、４に軸支される一対の動作制限杆５、５とにより構成され、カバー６がカバー支持杆３上に２点で軸支される。【選択図】図３
2009221707.tif 000002
【特許請求の範囲】
【請求項１】
免震建物その他の免震構造物と前記免震構造物に隣接する建物その他の構造物との間に形成された間隙に設置されるエキスパンションジョイント機構と、
前記エキスパンションジョイント機構上に支持され、前記免震構造物と前記隣接構造物との間に架け渡されて前記間隙を閉塞するカバーと、
を備え、
前記エキスパンションジョイント機構は、
前記間隙の両側で前記免震構造物側及び前記隣接構造物側の各躯体に、前記間隙の開口面よりも下がった位置に設置され、前記間隙の長手方向に向けて延びる一対のガイドレールと、
前記間隙の開口面と前記一対のガイドレールとの間に配置されて前記間隙の長手方向に向けて延びるカバー支持杆の下部にＸ形に交差して軸支されるとともに各端部がガイド部材を介して前記各ガイドレールに係合され、前記間隙に伸縮可能に配置される複数の一対の動作杆と、
前記ガイドレール上にＶ形に交差して軸支されるとともに各端部が前記各動作杆に軸支されて、前記ガイドレールと共に前記躯体側に固定され、前記一対の動作杆の動作を所定の範囲に制限する複数の一対の動作制限杆とを有し、
前記カバーは前記カバー支持杆上に少なくとも２点で軸支される、
ことを特徴とするエキスパンションジョイントカバー。
【請求項２】
前記カバーと前記カバー支持杆との各軸支点に相互に連通するピン挿通部を有し、前記カバーと前記カバー支持杆は前記カバーの上からピンが前記カバー及び前記カバー支持杆の各ピン挿通部に差し込まれて軸支される請求項１に記載のエキスパンションジョイントカバー。
【請求項３】
前記免震構造物側及び前記隣接構造物側の各躯体に前記間隙の開口面両側に沿って凹部が形成されるとともに前記凹部の前記間隙とは反対側の外側端部に内側から外側に向けて上り傾斜のガイド面が形成され、前記カバーはセンターカバーと該センターカバーの両側又は片側一方にヒンジ部材を介して傾動可能に連結されたサイドカバーとを有し、前記センターカバーと前記サイドカバーとの間に、前記サイドカバーが前記躯体の変動に伴い前記躯体に接触することなく前記サイドカバーと前記躯体との間の空隙を閉塞可能に、前記サイドカバーを水平面から下方向に所定の傾斜角度で傾動を制限するストッパーが設けられて、前記凹部上に水平に嵌め込まれる請求項１又は２に記載のエキスパンションジョイントカバー。
【請求項４】
前記カバーに該カバーを吊り上げるための引掛け部又は引掛け部材を固定可能な取付部を有する請求項１乃至３のいずれかに記載のエキスパンションジョイントカバー。
【発明の詳細な説明】
【技術分野】
【０００１】
本発明は、免震建造物の周囲に設けられる間隙を塞ぐエキスパンションジョイントカバーに関する。
【背景技術】
【０００２】
免震構造物は、周知のとおり、下部構造体である基礎と、この基礎上に免震装置を介在して支持された上部構造体の免震建物とからなる。この免震構造物では、地震や強風を受けた場合に、免震建物が、隣接する建物その他の構造物に衝突しないように、また免震装置を保護するために、免震建物の周囲に、すなわち免震構造物側の躯体とこの構造物に隣接する構造物側の躯体との間に所定の幅の間隙が設けられて、免震建物が基礎に対して水平方向に移動可能になっている。そして、この間隙には、人や物が落下するのを防止するため、また、この間隙を通じて風雨などの外部環境から免震装置を保護するために、当該間隙に化粧カバーが免震建物の揺れ動きに追従して移動可能に設置される。
【０００３】
この種の化粧カバーが特許文献１などに提案されている。この文献１は躯体継手装置に関するもので、この装置では、隣接する構造物（以下、躯体という。）の一方に台座部材及び水平付勢部材（ばね部材）が固定され、当該台座部材にホルダーの一側が上下方向に回動可能に取り付けられて、このホルダー材にカバー材が重ねられ一体的に回動可能に連結されるとともに、水平付勢部材の係止腕部分がホルダー材のスライド係合受部にスライド可能に係合されホルダー材及びカバー材が水平に付勢される。このようにしてホルダー材とカバー材が一体的に回動動作されることで、両者の連結部分が広がることがなく、また、水平に付勢されていることで躯体の往復変動にも追随可能になっている。
【０００４】
【特許文献１】特開２０００−２６５５７６公報
【発明の開示】
【発明が解決しようとする課題】
【０００５】
しかしながら、上記従来の化粧カバーでは、ばね部材（水平付勢部材）の固定側を一方の躯体に固定し、回動側をホルダーの受部に係合させて、カバー材の端部を他方の躯体に圧接するため、このような構造では、地震その他の外力による躯体の変動に追従可能な範囲が狭く、間隙が広がるような大きな揺れが発生した場合に対応できず、カバー材が他方の躯体からはずれて間隙に落ちるおそれもある、という問題がある。
【０００６】
本発明は、このような従来の問題を解決するもので、バネ部材を用いることなく、しかも簡易な構造のエキスパンションジョイント機構により、躯体の大きな変動にも柔軟に追従して躯体の変動を確実に吸収するととともに、間隙の中心位置でカバーの中心を維持して間隙を確実に閉塞することのできるエキスパンションジョイントカバーを提供すること、を目的とする。
【課題を解決するための手段】
【０００７】
上記の問題を解決するために、本発明のエキスパンションジョイントカバーは、免震建物その他の免震構造物と前記免震構造物に隣接する建物その他の構造物との間に形成された間隙に設置されるエキスパンションジョイント機構と、前記エキスパンションジョイント機構上に支持され、前記免震構造物と前記隣接構造物との間に架け渡されて前記間隙を閉塞するカバーとを備え、前記エキスパンションジョイント機構は、前記間隙の両側で前記免震構造物側及び前記隣接構造物側の各躯体に、前記間隙の開口面よりも下がった位置に設置され、前記間隙の長手方向に向けて延びる一対のガイドレールと、前記間隙の開口面と前記一対のガイドレールとの間に配置されて前記間隙の長手方向に向けて延びるカバー支持杆の下部にＸ形に交差して軸支されるとともに各端部がガイド部材を介して前記各ガイドレールに係合され、前記間隙に伸縮可能に配置される複数の一対の動作杆と、前記ガイドレール上にＶ形に交差して軸支されるとともに各端部が前記各動作杆に軸支されて、前記ガイドレールと共に前記躯体側に固定され、前記一対の動作杆の動作を所定の範囲に制限する複数の一対の動作制限杆とを有し、前記カバーは前記カバー支持杆上に少なくとも２点で軸支される、ことを要旨とする。
【０００８】
また、このエキスパンションジョイントカバーは、各部に次のような構成が採用される。
（１）前記カバーと前記カバー支持杆との各軸支点に相互に連通するピン挿通部を有し、前記カバーと前記カバー支持杆は前記カバーの上からピンが前記カバー及び前記カバー支持杆の各ピン挿通部に差し込まれて軸支される。
（２）前記免震構造物側及び前記隣接構造物側の各躯体に前記間隙の開口面両側に沿って凹部が形成されるとともに前記凹部の前記間隙とは反対側の外側端部に内側から外側に向けて上り傾斜のガイド面が形成され、前記カバーはセンターカバーと該センターカバーの両側又は片側一方にヒンジ部材を介して傾動可能に連結されたサイドカバーとを有し、前記センターカバーと前記サイドカバーとの間に、前記サイドカバーが前記躯体の変動に伴い前記躯体に接触することなく前記サイドカバーと前記躯体との間の空隙を閉塞可能に、前記サイドカバーを水平面から下方向に所定の傾斜角度で傾動を制限するストッパーが設けられて、前記凹部上に水平に嵌め込まれる。
（３）前記カバーに該カバーを吊り上げるための引掛け部又は引掛け部材を固定可能な取付部を有する。
【発明の効果】
【０００９】
本発明のエキスパンションジョイントカバーは、上記の構成により、バネ部材を用いることなく、しかも簡易な構造のエキスパンションジョイント機構により、躯体の大きな変動にも柔軟に追従して躯体の変動を確実に吸収するととともに、間隙の中心位置でカバーの中心を維持して間隙を確実に閉塞することができる。
【発明を実施するための最良の形態】
【００１０】
この発明の一実施の形態について図を用いて説明する。図１において、９は既述の間隙で、免震建物その他の免震構造物７とこの免震構造物７に隣接する建物その他の構造物８（地盤を含む。）との間に形成されている。この場合、免震構造物７側及び隣接構造物８側の各躯体７１、８１には、間隙９の開口面両側に沿って凹部７２、８２が形成されるとともに、この凹部７２、８２の間隙９とは反対側の外側端部７３、８３に内側から外側に向けて上り傾斜のガイド面７４、８４が形成される。なお、この場合、各凹部７２、８２にはカバー６を載せるための架台が設置されており、各ガイド面７４、８４はこの架台の外側端部に形成される。図１において、１はエキスパンションジョイントカバーであり、このエキスパンションジョイントカバー１は一対のガイドレール２、２と、カバー支持杆３と、一対の動作杆４、４と、一対の動作制限杆５、５（図２又は図３参照）とからなり、免震構造物７と隣接構造物８との間の間隙９に設置されるエキスパンションジョイント機構１１と、このエキスパンションジョイント機構１１上に支持され、免震構造物７と隣接構造物８との間に架け渡されて間隙９を閉塞する複数のカバー６とを備える。以下、各部について図１を用いて、また必要に応じて図２及び図３を参照しながら詳しく説明する。
【００１１】
一対のガイドレール２、２はそれぞれ水平方向に延びる長いレールで、この場合、ステンレス鋼その他の金属製の板材からなるレールを連結して形成される。これらのガイドレール２、２は後述する一対の動作杆４、４のガイドローラ（水平ローラ）４０が転動可能に、図３に示すように、上面２１、下面２２、及び左右の側面２３、２４を有し、一方の側面２３は固定部として下面２２よりも少し下方に延出され、他方の側面２４は上下方向中間部が開口されて左右両側の内面がガイド面として形成される。なお、この場合、ガイドレール３の上下方向の寸法は後述するガイドローラ４０が多少上下動可能に遊びを持たせておくことが好ましい。また、この一対のガイドレール２、２は後述するカバー支持杆３のカバー６の支持位置に対応して区分され、その一方のガイドレール２の各区分の長手方向中央に一対の動作制限杆５、５の軸支点２５が設けられる。この場合、この部分で上面２１と内側の側面３４が切り欠かれ下面２２に軸挿通部が設けられて、ボルト（軸２６）がナットで固定できるようになっている。これらのガイドレール２、２は間隙９の両側で免震構造物７側及び隣接構造物８側の各躯体７１、８１に、間隙９の開口面（上面）よりも下がった所定の位置に、間隙９の長手方向に向けて設置される。
【００１２】
カバー支持杆３は水平方向に延びる長い杆で、この場合、ステンレス鋼その他の金属製の角パイプを連結して形成される。このカバー支持杆３は、図２に示すように、所定の長さを有し、上面に一定のスパン毎にカバー６が支持されるため、カバー６の支持位置毎にその両端に少なくとも１箇所ずつピン挿通部３０が（カバー支持杆３の）上下面を貫通して形成され、さらにカバー６の支持位置毎にカバー支持杆３の下部に一対の動作杆４、４が軸支されるため、カバー支持杆３の長手方向中央（各ピン挿通部３０、３０間の中心）に一方のガイドレール２上の各軸支点２５に対向して軸挿通部３１が形成される。このカバー支持杆３は間隙９の幅方向の中心位置で間隙９の開口面（この場合、間隙９両側の凹部７２、８２の架台のレベル）よりもカバー６の略厚み分だけ下がった高さに間隙９の長手方向に向けて配置され、後述するとおり、下部に複数の一対の動作杆４、４が軸支され、上部に複数のカバー６、６が支持される。
【００１３】
一対の動作杆４、４は間隙９の幅方向よりも長い所定の長さを有する２本の杆材からなり、それぞれ両端にガイド部材４０が取り付けられる。この場合、各動作杆４、４はステンレス鋼その他の金属製の杆材で形成され、その両端部にガイド部材４０としてガイドローラが枢支される。これらの動作杆４、４は長さ方向中央でＸ形に交差され、図２及び図３に示すように、カバー支持杆３のカバー６の支持位置毎に各軸挿通部３１に挿着された軸３２を介してカバー支持杆３の下部（の長手方向中央）に軸支され、両端部の各ガイドローラ４０が各ガイドレール２、２に係合されて、間隙９内に開閉動作により伸縮可能に配置される。
【００１４】
一対の動作制限杆５、５は、図２及び図３に示すように、動作杆４よりも短い所定の寸法を有する２本の杆材からなり、この場合、ステンレス鋼その他の金属製の杆材で形成される。これらの動作制限杆５、５はそれぞれの一端でＶ形に交差され、カバー支持杆３のカバー６の支持位置毎に一方のガイドレール２上の各軸支点２５に挿着された軸２６を介して一方のガイドレール２上に軸支され、各動作制限杆５、５の端部が当該ガイドレール２にガイドローラ４０を介して係合された各動作杆４、４の各端部と各動作杆４、４の軸支点との間の中心に軸支される。このようにして各一対の動作制限杆５、５で各一対の動作杆４、４の開閉動作（つまり伸縮動作）を所定の範囲に制限し、各躯体７１、８１の変動が過大で、間隙９が過度に狭められ又は拡げられたときに、一対の動作杆４、４の開動又は閉動をロックし、躯体７１、８１の変動量を制限する。
【００１５】
このようにしてエキスパンションジョイント機構１１は構成され、カバー支持杆３に軸支されたＸ形の動作杆４、４が躯体７１、８１の変動に追従して各ガイドレール２、２に沿って開閉することにより伸縮する柔構造により、躯体７１、８１の変動に柔軟に追従して躯体７１、８１の変動を確実に吸収し（エキスパンションジョイント機構１１の収縮作用）、また、躯体７１、８１が過大に変位する場合に、一対の動作制限杆５、５の作用により、一対の動作杆４、４の開閉動作を制限して、躯体７１、８１の過大な変位量を制限する（エキスパンションジョイント機構１１の収縮制限作用）ようになっている。さらに、このエキスパンションジョイント機構１１では、カバー支持杆３は長さ方向に複数のカバー６を支持可能に所定の長さを有し、カバー支持杆３のカバー６の支持位置毎に一対の動作杆４、４が軸支され、カバー支持杆３が各一対の動作杆４、４と共に間隙９の幅方向中心位置に配置されること、また各一対の動作杆４、４が各ガイドレール２、２に係合され各一対の動作制限杆５、５に連結されること、そしてガイドレール２と各一対の動作制限杆５、５との軸支点２５が躯体８１側に固定されることで、躯体７１、８１が間隙９の幅方向に変動した場合に、各動作杆４、４及び各動作制限杆５、５が連動して伸縮運動するだけで、カバー支持杆３は水平方向又は回転方向の移動を規制され、初期の位置、つまり間隙９の幅方向中心位置で停止した姿勢を取る（エキスパンションジョイント機構１１のカバー中心維持作用）ようになっている。
【００１６】
一方、カバー６はステンレス鋼板その他の金属板により形成され、間隙９と間隙９両側の凹部７２、８２を外側端部のガイド面７４、８４に近接する位置まで覆うセンターカバー６１と、センターカバー６１の両側にヒンジ部材６３を介して傾動可能に連結され、凹部７２、８２のガイド面７４、８４付近の両側及びガイド面７４、８４上を覆うサイドカバー６２とを有する。この場合、センターカバー６１は矩形状に形成され、外周に凹部７３、８３の深さと略同じ高さの立ち上がりが形成されて、全体が凹部７２、８２内に嵌合可能な凹状に形成される。なお、このセンターカバー６１内にはタイルなどの化粧材が埋設され、表面が平坦化される。また、このセンターカバー６１の幅方向中央には、図２及び図３に示すように、カバー支持杆３のカバー６の支持位置毎に設けられた各ピン挿通部３０、３０に対応する両端所定の位置に、当該ピン挿通部３０、３０に連通可能なピン挿通部６０、６０が形成される。なお、ここで採用されるピンはステンレス鋼その他の金属材からなるピンＰで、一端（この場合、上端）にナット又はフランジが固定されて頭部Ｈが形成され、ピン挿通部６０、３０に落とし込めるようになっている。さらに、このセンターカバー６１の四隅には、カバー６を吊り上げるための引掛け部材を固定可能な取付部６１０が併せて設けられる。この場合、引掛け部材にアイボルトなどが採用され、取付部６１０はアイボルトが螺着可能なナット６１１とナット６１１の周囲を包囲する筒形の金属カバー６１２とにより形成される。サイドカバー６２は細長い矩形の板状に形成される。センターカバー６１と各サイドカバー６２との間には、図１に示すように、サイドカバー６２が躯体７１、８１の変動に伴い躯体７１、８１に接触することなくサイドカバー６２と躯体７１、８１との間の空隙を閉塞可能に、サイドカバー６２を水平面から下方向への傾動を所定の傾斜角度で規制するストッパー６５が固着される。このストッパー６５は板状で、ヒンジ部材６３のセンターカバー側固定部に沿って固着される固着部６５１と、躯体７１、８１の凹部７２、８２のガイド面７４、８４に対向し、当該ガイド面７４、８４と平行に形成される傾斜部６５２と、サイドカバー６２に対向し、当該サイドカバー６２を水平面から下方向に所定の傾斜角度で傾動を制限する傾動規制部６５３とを有し、センターカバー６１とサイドカバー６２との間でヒンジ部材６３のセンターカバー側固定部に固着されて、傾動規制部６５３でサイドカバー６２を水平面から下方向に所定の傾斜角度で傾動を制限し、サイドカバー６２が躯体７１、８１の変動に伴い躯体７１、８１に接触することなくサイドカバー６２と躯体７１、８１との間の空隙を閉塞できるようにする。このようにしてカバー６は構成され、複数のカバー６がカバー支持杆３にカバー６の支持位置毎に設置されるとともに、各カバー６の上からピンＰが各カバー６及びカバー支持杆３の各ピン挿通部６０、３０に差し込まれて少なくとも２点で軸支され、免震構造物７と隣接構造物８との間に架け渡されて間隙９両側の凹部７２、８２に嵌め込まれる（この場合、サイドカバー６２は水平で、その側縁部はガイド面７４、８４の頂部（凹部７２、８２の開口側縁部）に架けられる）。このようにして間隙９を閉塞する。
【００１７】
このようにして免震構造物７と隣接構造物８との間の間隙９がエキスパンションジョイントカバー１により閉塞されて、この間隙９に人や物が落下するのを防止し、また、風雨などの外部環境から免震構造物の免震装置が保護される。
【００１８】
そして、地震その他の外力により、躯体７１、８１が間隙９の幅方向に変動し、間隙９が狭められた場合、各動作杆４、４が各ガイドレール２、２に沿って開動作すること（エキスパンションジョイント機構１１の収縮作用）により、躯体７１、８１の変動に柔軟に追従して躯体７１、８１の変動を確実に吸収し、躯体７１、８１が過大に変位する場合には、一対の動作制限杆５、５の作用により、一対の動作杆４、４の開動作が制限されて、躯体７１、８１の過大な変位量を制限する。また、この場合、エキスパンションジョイント機構１１はカバー中心維持装置として働き、躯体７１、８１が間隙９の幅方向に変動した場合に、各動作杆４、４及び各動作制限杆５、５が連動して収縮運動するが、カバー支持杆３は水平方向又は回転方向の移動を規制されて、初期の位置、つまり間隙９の幅方向の中心位置で停止した姿勢を取り、間隙９の中心位置で各カバー６の中心を確実に維持する。一方、カバー６はカバー支持杆３上に２点で軸支されて間隙９上に設置されているから、カバー６はカバー支持杆３上で水平方向又は回転方向の動きを規制され、躯体７１、８１の変動に影響されることなく、間隙９を確実に閉塞する。また、このカバー６の場合、カバー６の両側にサイドカバー６２、６２が傾動可能に設けられ、このサイドカバー６２がストッパー６５により水平面から下方向に所定の傾斜角度で傾動を制限されるので、躯体７１、８１の大きな変動でカバー６全体が躯体凹部７２、８２の外側にせり上がったときでも、サイドカバー６２、６２の両側縁部が躯体７１、８１に接触して躯体７１、８１を損傷させることなしに、カバー６の両側に（つまり、カバー６と躯体７１、８１との間に）空隙が生じるのを防止する。なお、この躯体７１、８１の変動中、一対の動作制限杆５、５は躯体８１側に固定されているため躯体８１と一体に変位するが、各動作制限杆５、５が躯体８１側に固定されていることで、地震などの外力が止まり躯体７１、８１が元の位置に戻ると、一対の動作制限杆５、５が元の所定の位置に復帰し、これに連結された一対の動作杆４、４もまた元の所定の位置で初期の体勢に復帰する。また、カバー６が凹部７２、８２（の正規の位置）に戻る過程で、サイドカバー６２がストッパー６４により水平面から下方向に所定の傾斜角度で傾動を制限され、サイドカバー６２、６２の両側縁部が躯体７１、８１に接触して躯体７１、８１を損傷させることなしに、カバー６の両側に空隙が生じるのを防止し、カバー６が凹部７２、８２（の正規の位置）に戻ると同時に、サイドカバー６２、６２の両側縁部が凹部７２、８２の開口側縁部に架かってストッパー６５（の傾動規制部６５３）から離れ、サイドカバー６２、６２が水平になって、カバー６全体が平坦化される。
【００１９】
また、地震その他の外力により、躯体７１、８１が間隙９の幅方向に変動し、間隙９が拡げられた場合、各動作杆４、４が各ガイドレール２、２に沿って閉動作すること（エキスパンションジョイント機構１１の伸長作用）により、躯体７１、８１の変動に柔軟に追従して躯体７１、８１の変動を確実に吸収し、躯体７１、８１が過大に変位する場合には、一対の動作制限杆５、５の作用により、一対の動作杆４、４の閉動作が制限されて、躯体７１、８１の過大な変位量を制限する。また、この場合、エキスパンションジョイント機構１１はカバー中心維持装置として働き、躯体７１、８１が間隙９の幅方向に変動した場合に、各動作杆４、４及び各動作制限杆５、５が連動して伸長運動するが、カバー支持杆３は水平方向又は回転方向の移動を規制されて、初期の位置、つまり間隙９の幅方向の中心位置で停止した姿勢を取り、間隙９の中心位置で各カバー６の中心を確実に維持する。そして、カバー６はカバー支持杆３上に２点で軸支されて間隙９上に設置されているから、カバー６はカバー支持杆３上で水平方向又は回転方向の動きを規制され、躯体７１、８１の変動に影響されることなく、間隙９を確実に閉塞する。また、このカバー６の場合、カバー６の両側にサイドカバー６２、６２が傾動可能に設けられ、このサイドカバー６２がストッパー６５により水平面から下方向に所定の傾斜角度で傾動を制限されるので、躯体７１、８１の大きな変動でカバー６の両側縁部が躯体凹部７２、８２の外側端部７３、８３から内方に向けて変位しても、サイドカバー６２、６２の両側縁部がガイド面７４、８４又は凹部７２、８２に接触して躯体７１、８１を損傷させることなしに、カバー６の両側に（つまり、カバー６と躯体７１、８１との間に）空隙が生じるのを防止する。なお、この躯体７１、８１の変動中、一対の動作制限杆５、５は躯体８１側に固定されているため躯体８１と一体に変位するが、各動作制限杆５、５が躯体８１側に固定されていることで、地震などの外力が止まり躯体７１、８１が元の位置に戻ると、一対の動作制限杆５、５が元の所定の位置に復帰し、これに連結された一対の動作杆４、４もまた元の所定の位置で初期の体勢に復帰する。また、カバー６が凹部７２、８２（の正規の位置）に戻る過程で、サイドカバー６２がストッパー６５により水平面から下方向に所定の傾斜角度で傾動を制限され、サイドカバー６２、６２の両側縁部が躯体７１、８１に接触して躯体７１、８１を損傷させることなしに、カバー６の両側に空隙が生じるのを防止し、カバー６が凹部７２、８２（の正規の位置）に戻ると同時に、サイドカバー６２、６２の両側縁部が凹部７２、８２の開口側縁部に架かってストッパー６５（の傾動規制部６５３）から離れ、サイドカバー６２、６２が水平になって、カバー６全体が平坦化される。
【００２０】
また、地震その他の外力により、躯体７１、８１が間隙９の長手方向に変動した場合は、各動作杆４、４のガイドローラ４０、４０と各ガイドレール２、２が相互にずれ合うことで、躯体７１、８１の変動に柔軟に追従して躯体７１、８１の変動を確実に吸収する。そして、この場合も、エキスパンションジョイント機構１１はカバー中心維持装置として働き、間隙９の幅方向中心位置で、カバー支持杆３は水平方向（特に間隙９の幅方向）又は回転方向の移動を規制されて、初期の位置、つまり間隙９の幅方向中心位置で停止した姿勢を取り、間隙９の中心位置で各カバー６の中心を確実に維持する。そして、カバー６はカバー支持杆３上に２点で軸支されて間隙９上に設置されているから、カバー６はカバー支持杆３上で水平方向（特に間隙９の幅方向）又は回転方向の動きを規制され、躯体７１、８１の変動に影響されることなく、間隙９を確実に閉塞する。
【００２１】
なお、躯体７１、８１が間隙９の幅方向及び長手方向に複合的に変動した場合は、各動作杆４、４と各ガイドレール２、２との間で上記の各動作が複合的に行われて、カバー６が間隙９を確実に閉塞し、躯体７１、８１が過大に変位する場合には、各動作制限杆５、５により各動作杆４、４の動作が制限されて、躯体７１、８１の過大な変位量を制限する。
【００２２】
さらに、躯体７１、８１が上下に変動した場合は、各ガイドレール２、２に各動作杆４、４の各ガイドローラ４０、４０が上下動可能に多少の遊びが持たされているので、エキスパンションジョイント機構１１は躯体７１、８１の変動に柔軟に追従して躯体７１、８１の変動を確実に吸収することができる。また、各カバー６は既述のとおり、各動作杆４、４上のカバー支持杆３に軸支されて、間隙９上に設置されているだけなので、躯体７１、８１の変動に追従して、間隙９を確実に閉塞することができる。
【００２３】
以上説明したように、このエキスパンションジョイントカバー１は、エキスパンションジョイント機構１１が、間隙９の両側で免震構造物７側及び隣接構造物８側の各躯体７１、８１に、間隙９の開口面よりも下がった位置に設置され、間隙９の長手方向に向けて延びる一対のガイドレール２、２と、間隙９の開口面と一対のガイドレール２、２との間に配置され間隙９の長手方向に向けて延びるカバー支持杆３の下部にＸ形に交差して軸支されるとともに各端部がガイドローラ４０を介して各ガイドレール２、２に係合され、間隙９に伸縮可能に配置される複数の一対の動作杆４、４と、一方のガイドレール２上にＶ形に交差して軸支されるとともに各端部が各動作杆４、４に軸支されて、一方のガイドレール２と共に躯体８１側に固定され、一対の動作杆４、４の動作を所定の範囲に制限する複数の一対の動作制限杆５、５とにより構成されるので、従来のようにバネ部材を用いることがなく、しかも少ない部品点数の簡易な構造とすることができる。そして、このエキスパンションジョイント機構１１では、躯体７１、８１が間隙９の幅方向に変動した場合に、各動作杆４、４が各ガイドレール２、２に沿って開閉動作することにより伸縮するので、躯体７１、８１の変動に柔軟に追従して躯体７１、８１の変動を確実に吸収し、躯体７１、８１が過大に変位する場合には、一対の動作制限杆５、５の作用により、一対の動作杆４、４の開閉動作が制限されて、躯体７１、８１の過大な変位量を制限することができる。また、この場合、エキスパンションジョイント機構１１はカバー中心維持装置として働き、躯体７１、８１が間隙９の幅方向に変動した場合に、各動作杆４、４及び各動作制限杆５、５が連動して伸縮運動するが、カバー支持杆３は水平方向又は回転方向の移動を規制されて、間隙９の幅方向中心位置で停止した姿勢を取り、間隙９の中心位置で各カバー６の中心を確実に維持することができる。そして、カバー６はカバー支持杆３上に２点で軸支されて間隙９上に設置されているので、カバー６はカバー支持杆３上で水平方向又は回転方向の動きを規制され、このカバー６で間隙９を確実に閉塞することができる。
【００２４】
また、このエキスパンションジョイントカバー１では、カバー６とカバー支持杆３との各軸支点に相互に連通するピン挿通部６０、３０が設けられ、カバー６とカバー支持杆３はカバー６の上からピンＰがカバー６及びカバー支持杆３の各ピン挿通部６０、３０に差し込まれて軸支されるので、設置工事や保守点検の際に、カバー６の取り付け、取り外しを容易に行うことができる。
【００２５】
さらに、このエキスパンションジョイントカバー１では、免震構造物７側及び隣接構造物８側の各躯体７１、８１に間隙９の開口面両側に沿って凹部７２、８２が形成されるとともに凹部７２、８２の外側端部７３、８３に内側から外側に向けて上り傾斜のガイド面７４、８４が形成され、カバー６はセンターカバー６１と該センターカバー６１の両側にヒンジ部材６３を介して傾動可能に連結されたサイドカバー６２とからなり、センターカバー６１とサイドカバー６２との間にサイドカバー６２を水平面から下方向に所定の傾斜角度で傾動を制限するストッパー６４が設けられて、凹部７２、８２に嵌め込まれるので、通常、カバー６と凹部７２、８２との間に空隙をなくして、間隙９を確実に閉塞することができ、躯体７１、８１の大きな変動によりカバー６全体が躯体凹部７２、８２の外側にせり上がったときでも、サイドカバー６２、６２の両側縁部が躯体７１、８１に接触して躯体７１、８１を損傷させることなしに、カバー６の両側に空隙が生じるのを防止することができ、また反対に、カバー６全体が躯体凹部７２、８２の外側端部７３、８３から内方に向けて変位しても、サイドカバー６２、６２の両側縁部が躯体７１、８１に接触して躯体７１、８１を損傷させることなしに、カバー６の両側に空隙が生じるのを防止することができる。
【００２６】
またさらに、このエキスパンションジョイントカバー１では、カバー６に該カバー６を吊り上げるためのアイボルトなどの引掛け部材を固定可能な取付部６１０が設けられているので、設置工事や取り替え工事、また保守点検の際に、各取付部６１０に引掛け部材を固定することで、クレーンなどを使って、カバー６の吊り上げ、吊り下しを簡易に行うことができる。
【００２７】
なお、この実施の形態では、一対の動作杆４、４のガイド部材４０にガイドローラが使用されているが、ローラに代えて、他の転動部材又は摺動部材若しくはスライド部材が採用されてもよい。また、一対の動作制限杆５、５は一方のガイドレール２に設けられて各動作杆４、４に軸支されているが、これらの動作制限杆５、５は両方のガイドレール２、２に設けられて各動作杆４、４に対称的に軸支されてよい。さらに、カバー６はカバー支持杆３上に２点で軸支されているが、３点以上で軸支されても勿論かまわない。
【００２８】
また、この実施の形態では、カバー６の取り付け、取り外しを容易に行うために、カバー６とカバー支持杆３がカバー６の上からピンＰがカバー６及びカバー支持杆３の各ピン挿通部６０、３０に差し込まれて軸支されているが、このような差し込み式のピンでなくても勿論かまわない。
【００２９】
さらに、この実施の形態では、センターカバー６１の両側にサイドカバー６２が傾動可能に設けられているが、一方の躯体側にカバー側部の空隙を塞ぐ別の手段が設けられている場合には、サイドカバーはセンターカバーの片側一方に設けられていればよい。
【００３０】
またさらに、この実施の形態では、センターカバー６１とサイドカバー６２との間のヒンジ部材６３にストッパー６４が設けられているが、ストッパー６４はセンターカバー６１又はサイドカバー６２に直接固着されてもよい。
【００３１】
またさらに、この実施の形態では、カバー６に該カバー６を吊り下げるための引掛け部材６４を固定可能な取付部６１０が設けられているが、このカバー６に直接、引掛け部が取り付けられてもよい。
【図面の簡単な説明】
【００３２】
【図１】本発明の一実施の形態におけるエキスパンションジョイントカバーの側面断面図
【図２】同エキスパンションジョイントカバーの平面図
【図３】同エキスパンションジョイントカバーの分解斜視図
【符号の説明】
【００３３】
１  エキスパンションジョイントカバー
１１  エキスパンションジョイント機構
２  ガイドレール
２１  上面
２２  下面
２３、２４  側面
２５  一対の動作制限杆の軸支点
２６  軸
３  カバー支持杆
３０  ピン挿通部
３１  軸挿通部
３２  軸
４  動作杆
４０  ガイド部材（ガイドローラ）
５  動作制限杆
６  カバー
６０  ピン挿通部
６１  センターカバー
６１０  取付部
６１１  ナット
６１２  金属カバー
６２  サイドカバー
６３  ヒンジ部材
６５  ストッパー
６５１  固着部
６５２  傾斜部
６５３  傾動規制部
７  免震構造物
７１  躯体
７２  凹部
７３  外側端部
７４  ガイド面
８  隣接構造物
８１  躯体
８２  凹部
８３  外側端部
８４  ガイド面
９  間隙
Ｐ  ピン
Ｈ  頭部
【図１】
2009221707.tif 000003
【図２】
2009221707.tif 000004
【図３】
2009221707.tif 000005